(57)【要約】      （修正有）【課題】身体の健康効果が促進され、靴底機能も増強される健康靴を提供する。【解決手段】健康靴に関するものであり、靴底１０、包覆部２０、及び滑り止め部３０を具える。該靴底１０は石材層１１により形成され、該石材層１１は玉等のような天然鉱石の石材を最低含む。包覆部２０は靴底１０上面に設置し、靴底１０には着用部２１を形成、滑り止め部３０は靴底１０底面に設置する。靴底１０は足底を支える効果の他、足が靴底１０に接触すると、靴底１０中の天然鉱石の成分が人体に有益なエネルギーや遠赤外線を放出する為、靴底１０には健康を促進する効果が更に加えられる。また、玉等の天然鉱石自身は特殊な色合いを有しており、靴底１０全体の美観を向上させ、更に靴底１０の効果及び実用性を拡大する。【選択図】図１
0003143624.tif 000002
【実用新案登録請求の範囲】
【請求項１】
石材層により形成される靴底と、
該靴底上面に設置し、該靴底には着用部を形成する包覆部と、
該靴底底面に設置する滑り止め部と、を具えることを特徴とする健康靴。
【請求項２】
請求項１記載の健康靴において、前記靴底は足前方エリアと足後方エリアを具え、該滑り止め部は、該足前方エリアと該足後方エリアの底面にそれぞれ設けることを特徴とする健康靴。
【請求項３】
請求項１記載の健康靴において、前記靴底は該足前方エリアと該足後方エリアを具え、該滑り止め部は該足前方エリアの底面に配置し、該足後方エリアの底面にはヒールを設けることを特徴とする健康靴。
【請求項４】
請求項１或いは請求項２或いは請求項３記載の健康靴において、前記石材層は最低一種類の石材を含むことを特徴とする健康靴。
【請求項５】
請求項４記載の健康靴において、前記石材は天然鉱石であることを特徴とする健康靴。
【請求項６】
請求項５記載の健康靴において、前記天然鉱石は玉であることを特徴とする健康靴。
【考案の詳細な説明】
【技術分野】
【０００１】
本考案は靴に関するものであり、特に靴底が石材層によって形成される健康靴に係る。
【背景技術】
【０００２】
靴は生活と連関関係を持つ日常用品であり、公知の靴に設けてある靴底は、足を支え、足の裏に踏む所を提供する効果を有するが、この効果の他、靴底にはその他の付加機能はない。しかし、靴底は人体の足と頻繁に接触する故、使用率の高い特徴を利用して、例えば健康促進効果等によって靴底機能性を強化するのが、実際における重要課題である。
【０００３】
近年来、摂生概念が盛んであり、自然界を源とする天然物質（鉱石等）を利用して人体のエネルギーと磁場を増強して身体を健康にすることが世の趨勢である。鉱石は、自然界が年月を重ねて形成した天然産物あり、天然鉱石は微量の電荷パルスを放出し磁場を形成、更に体内の血液循環を促進し、血液中の廃棄物堆積を防止する。並びに、研究により天然鉱石が遠赤外線を発散し、これにより人体の新陳代謝及び細胞組織の活性化を増進させることがわかった。
【０００４】
天然鉱石の種類は非常に多く、玉もまたその一種である。数千年前、玉は医療に応用されてきた。「神農本草」「本草綱目」等古代の医薬名著の中には玉に「熱を取り除き、苛立ちを和らげ、心臓や肺の動きを活発にし、喉を潤し、毛に滋養を与え、五臟（肝・心・脾・肺・腎）を養生し、気持ちを落ち着かせ、血液の循環を良好にし、耳と目の機能を向上させる」等の効果があることが記載されている。多くの玉は、人体に有益な数種の微量元素（例えば、金、銀、ケイ素、亜鉛、鉄、セレン、マグネシウム、マンガン等）を含む。これらの元素は皮膚を通過して微量が人体内に吸収され、中国医学でいう経、絡、気、血の動きを調節し、病気を治癒し健康体にし寿命を延長させる。前述に基づき、健康効果のある玉等の鉱石を利用して人体に密接に接触する靴底を製作したなら、靴底の効果を向上させると伴に身体の健康促進に役立つものとなる。
【考案の開示】
【考案が解決しようとする課題】
【０００５】
公知の靴底の単調な機能を改善し、並びに、鉱石の人体健康に役立つ効用を取り入れる為、本考案は健康靴を提供する。それは靴底中に石材層を設置し、この石材層は玉等の天然鉱石により形成される。これにより足は天然鉱石により製作された靴底を踏んだ時、身体の健康効果が促進され、靴底機能の増強目的が達成される。
【課題を解決するための手段】
【０００６】
本考案は健康靴を提供する。それは靴底１０、包覆部２０、及び滑り止め部３０を含む。該靴底１０は、足の形に基づき足前方エリア１０１及び足後方エリア１０２に区分し、靴底１０は石材層１１により形成、該石材層１１は玉等のような天然鉱石の石材を最低含む。包覆部２０は靴底１０上面に設置し、靴底１０には着用部２１を形成、人体の足に着用させる。滑り止め部３０は足前方エリア１０１の底面に設置し、足後方エリア１０２の底面にはヒール４０を設置する。
【０００７】
本考案の健康靴により、靴底１０は足底を支える効果の他、足が靴底１０に接触すると、靴底１０中の天然鉱石の成分が人体に有益なエネルギーや遠赤外線を放出する為、靴底１０には健康を促進する効果が更に加えられる。また、玉等の天然鉱石自身は特殊な色合いを有しており、靴底１０全体の美観を向上させ、更に靴底１０の効果及び実用性を拡大する。
【考案の効果】
【０００８】
本考案は靴底は、足部を支え、足の裏に踏む所を提供する効果の他、その他の付加機能はないが、靴底は人体の足部と頻繁に接触する故、使用率の高い特徴を利用して、健康を促進する効果を有する。
【考案を実施するための最良の形態】
【０００９】
図１に、本考案の実施例における健康靴の立体図を示す。本考案の健康靴は、靴底１０、包覆部２０、及び滑り止め部３０を含む。該靴底１０は石材層１１により形成され、該石材層１１は玉等のような天然鉱石の石材を最低含む。包覆部２０は靴底１０上面に設置し、靴底１０には着用部２１を形成、人体の足に着用させる。滑り止め部３０は靴底１０底面に設置する。
【００１０】
靴底１０は石材層１１により形成され、該石材層１１は天然鉱石やその他石素材の石材を最低含む。天然鉱石は台湾玉、カナダ玉、シベリア玉、ピンクストーン等の玉、及びその他天然鉱石等から選択する。天然玉は人体の健康に有益なエネルギーや遠赤外線を放出することにより、靴底１０に健康促進効果を持たせ、更に靴底１０の効果及び実用性を強化させることができる。また、靴底１０は足形に基づいて区分される足前方エリア１０１と足後方エリア１０２を含む。靴底１０の構造及び形状はここでは例を示しただけであり、これに制限されることはない。人体工学に符合する何れの構造及び形状もこれを応用することができる。また、足ラインを修飾する為、靴底１０の足後方エリア１０２にヒール４０を設置することも可能であり、該ヒール４０の材質は、木材、プラスチック、或いは金属とし、ヒール４０の材質または構造及び形状は例示しただけでありこれに制限されることはない。
【００１１】
包覆部２０は、靴底１０上面に設置し、靴底１０には着用部２１を形成、人体の足に着用させる。包覆部２０の材質は皮革等の耐用性があり皮膚に快適感を与える材料とし、包覆部２０の構造、形状、及び設置方法は例示しただけでありこれに制限されることはない。
【００１２】
滑り止め部３０は、足前方エリア１０１と足後方エリア１０２の底面にそれぞれ設置するか、或いは足後方エリア１０２にヒール４０が配置してある故、足前方エリア１０１の底面だけに設置する。滑り止め部３０の材質は、ゴム、或いはその他の滑り止めの役目を果たし且つ摩擦防止の材料もしくは振動防止、圧力に抵抗する素材とし、靴底１０が粗い地面と直接接触することで靴底１０表面の磨耗を引き起こすのを防ぐ故、歩行において使用者が靴底１０を踏んだ時でも滑り難くなっている。
【００１３】
引き続き図１を参照する。健康靴を製作する場合、適当な玉等のような天然鉱石の石材を選択し、石材の横方向の目に沿って足の曲線及び人体工学に符合する靴底１０をカットし、並びに靴底１０の各表面を削り光らせ砂スプレー処理を行うことにより、靴底１０に滑らかでつやのある触感を持たせ、石材の天然の優雅な光沢を出現させる。靴底１０上には包覆部２０を連結固定し、包覆部２０と靴底１０間には着用部２１を形成し、人体の足を着用させる。また、靴底１０の足後方エリア１０２にヒール４０を粘着して足のラインを修飾するのと同時に、靴底１０が地面と接触して磨耗するのを防ぐ。並びに、使用者が健康靴着用時でも滑り難くする為に、靴底１０の底面にゴム製の滑り止め部３０を粘着することも可能である。該滑り止め部３０は、靴底１０の足前方エリア１０１と足後方エリア１０２底面箇所にそれぞれ粘着するか、或いは足後方エリア１０２にはヒール４０が配置されている故、靴底１０の足前方エリア１０１の底面だけに粘着する。
【００１４】
また、本考案の実施例における健康靴は、女性用ハイヒールに設ける他、サンダル（図２参照）や男性用靴等の各種靴への応用も可能であり、これに制限されないものとする。よって、足が天然玉で製作した靴底１０に接触してそれを踏みつけるのと同時に、体内の血液循環を促し、健康を増進する故、靴底に健康且つ寿命を延長する効果を持たせることができる。
【図面の簡単な説明】
【００１５】
【図１】本考案の実施例１における健康靴の立体図である。
【図２】本考案の実施例２における健康靴の立体図である。
【符号の説明】
【００１６】
１０  靴底
１０１  足前方エリア
１０２  足後方エリア
１１  石材層
２０  包覆部
２１  着用部
３０  滑り止め部
４０  ヒール
【図１】
0003143624.tif 000003
【図２】
0003143624.tif 000004